(57)【要約】【課題】  可動フードの構造に工夫を加えることによって前記した間隔をできるだけ小さくして、リールシートを握る手指の違和感や痛みを軽減するリールシートを提供する。【解決手段】  可動フード１Ｄとこの可動フード１Ｄに対向する状態で配置された固定フード１Ｃとでリール脚Ｓａを取付保持し、シートベース１Ａに対して移動可能に装着した可動フード１Ｄに対して、リール脚Ｓａを押え保持する押え接触体４を竿軸線に平行な方向に相対移動自在に取り付けるとともに、押え接触体４を固定フード１Ｃに向う方向に付勢するＯリング５を設けてある。【選択図】        図２
2008104431.tif 000002
【特許請求の範囲】
【請求項１】
可動フードとこの可動フードに対向する状態で配置された相手側フードとでリール脚を取付保持し、シートベースに対して移動可能に装着した可動フードに対して、リール脚を押え保持する押え接触体を竿軸線に平行な方向に相対移動自在に取り付けるとともに、前記押え接触体を前記相手側フードに向う方向に付勢する付勢手段を設けてあるリールシート。
【請求項２】
前記押え接触体を環状のものに形成するとともに、前記付勢手段をＯリングまたは皿バネで構成している請求項１記載のリールシート。
【発明の詳細な説明】
【技術分野】
【０００１】
本発明は、可動フードとこの可動フードに対向する状態で配置された相手側フードとでリール脚を取付保持するリールシートに関する。
【背景技術】
【０００２】
リールシートを構成するに、固定フードを一体形成した筒状のシートベースを、リール脚載置部を有する大径部と、大径部から軸線方向に沿って延出された小径部とで構成する。小径部に雌ネジを刻設して、可動フードを螺着し、可動フードを螺進移動させることによって、リール脚を固定するように構成していた（特許文献１参照）。
【０００３】
【特許文献１】実開平６−２４４６７号公報（公報第７頁の第２行〜第７行、及び、図１、２）
【発明の開示】
【発明が解決しようとする課題】
【０００４】
リール脚を押え保持する部分が可動フードの一部分として構成されているものでは、リール脚を押え保持する部分が、可動フードとともに螺進移動するだけである。
一方、リール脚はリールの種類によって、リール脚載置部に載置される部分の寸法が様々であり、可動フードのリール脚を固定保持する位置が異なる。
そうすると、可動フードの先端と、シートベースの大径部における先端との相対向する間隔が変化することになり、大型のリールを取り付けた場合には、その間隔が広がってくることなる。
釣り操作を行う場合には、シートベースとそのシートベースに取りつけられたリール脚とに指を掛けまわして竿を保持することとなるが、その場合に、可動フードの先端と、シートベースの大径部における先端との相対向する間隔位置に指が掛かることとなる。その間隔が大きくなり過ぎると、違和感を感じたり、指に痛みを感ずることがあり、解消する手段を講ずる必要があった。
【０００５】
本発明の目的は、可動フードの構造に工夫を加えることによって前記した間隔をできるだけ小さくして、リールシートを握る手指の違和感や痛みを軽減するリールシートを提供する点にある。
【課題を解決するための手段】
【０００６】
〔構成〕
請求項１に係る発明の特徴構成は、可動フードとこの可動フードに対向する状態で配置された相手側フードとでリール脚を取付保持し、シートベースに対して移動可能に装着した可動フードに対して、リール脚を押え保持する押え接触体を竿軸線に平行な方向に相対移動自在に取り付けるとともに、前記押え接触体を前記相手側フードに向う方向に付勢する付勢手段を設けてある点にあり、その作用効果は次の通りである。
【０００７】
〔作用〕
可動フードにおけるリール脚を押え保持する部分を、押え接触体として別部品とし、しかも、可動フードに対して押え接触体を相対移動可能に構成し、その押え接触体を付勢手段によって付勢している。
このような構成によって、リール脚がサイズの大きなものになった場合にも、押え接触体が相手側フードから遠ざかる方向に移動して、リール脚を押え保持することとなる。一方、リール脚がサイズの小さなものになった場合には、押え接触体が相手側フードに近接する方向に移動して、リール脚を押え保持することとなる。その場合に、可動フード自体は相手側フードから大きく遠ざかったり又は大きく近接する必要はなく、可動フードとシートベースとの相対向する部位の間隔を大きく変化させないものにできる。
【０００８】
〔効果〕
可動フードに対して相対移動可能な押え接触体を別部品として設け、付勢手段によって相手側フードに向けて付勢する構成を採用することによって、リールのサイズに対応して取り付け保持が可能な状態を維持しながら、シートベースとの間隔変化を極力抑えたものとすることができ、リールシートを握る手指の違和感を解消し、痛みを感ずることの少ないリールシートを提供できるに至った。
【０００９】
請求項２に係る発明の特徴構成は、請求項１に係る発明において、前記押え接触体を環状のものに形成するとともに、前記付勢手段をＯリングまたは皿バネで構成している点にあり、その作用効果は次の通りである。
【００１０】
〔作用効果〕
つまり、リール脚は円周方向の一箇所において載置されるものであるので、押え接触体も円周方向の一箇所に設けることもできるが、ここでは、押え接触体を環状のものにし、この環状の押え接触体を同じく環状のＯリングで付勢することによって、押え接触体の全周に亘って均等な付勢力を及ぼすことができ、可動フードの移動を円滑に行うことができる。
【発明を実施するための最良の形態】
【００１１】
〔第１実施形態〕
ルアー竿Ｒに使用されるリールシート１について設明する。図１及び図２に示すように、竿素材２に対して筒状のリールシート１を取り付けるとともに、リールシート１の竿尻側にコルク製のグリップ３を設け、ルアー竿Ｒを構成してある。
【００１２】
筒状のリールシート１について説明する。図１及び図２に示すように、竿素材２に対して取付固定したシートベース１Ａを、リール脚Ｓａを載置するリール脚載置部１Ｂと相手側フードとしての固定フード１Ｃとを備えた大径部分と、その大径部分から竿軸線方向に沿って小径部分を延出し、その小径部分に雄ネジ部１ａを形成し、表面にコルクを施している樹脂製の可動フード１Ｄを螺着してある。
【００１３】
図１及び図２に示すように、可動フード１Ｄの内部空間には、雌ネジ部１ｄが形成されており、その雌ネジ部１ｄをシートベース１Ａの雄ネジ部１ａに螺合させて、可動フード１Ｄを竿軸線方向に螺進移動可能にシートベース１Ａに装着してある。
可動フード１Ｄの雌ネジ部１ｄを形成した部分よりリール脚載置部１Ｂに向かう側には、そのリール脚載置部１Ｂに向かって開口する凹入空間Ａが設けてあり、この凹入空間Ａ内にリール脚Ｓａの一方を押え保持する押え接触体４を設けてある。
【００１４】
図３に示すように、押え接触体４はリング状のものであり、円周方向一箇所にリール脚Ｓａを押え保持する為のテーパ押え面４Ａを設けてある。図２及び図３に示すように、押え接触体４の内周面に突条４ａを形成するとともに、シートベース１Ａの雄ネジ部１ａを形成した小径部分の外周面に、凹部１ｂを形成し、突条４ａを凹部１ｂ内に位置させてある。
【００１５】
図２及び図３に示すように、可動フード１Ｄの凹入空間Ａ内に、付勢手段ＢとしてのＯリング５を収納してあり、Ｏリング５を凹入空間Ａの奥壁と押え接触体４との間に位置させて、押え接触体４を凹入空間Ａより脱出する方向に付勢している。
【００１６】
以上のような構成により、図２（イ）に示すように、リール脚Ｓａをリール脚載置部１Ｂに載置した状態では、押え接触体４がリール脚Ｓａより離間する状態にあり、Ｏリング５には押え接触体４の反力は作用してなく、断面円形の状態を維持している。
図２（ロ）に示すように、リールＳが小型でリール脚Ｓａが短い場合には、可動フード１Ｄを螺進させて押え接触体４でリール脚Ｓａを押え付け、押え接触体４がリール脚Ｓａを保持する状態であっても、押え接触体４は凹入空間Ａ内への退入は殆どない。これによって、Ｏリング５には押え接触体４の反力は作用してなく、断面円形の状態を維持している。
これに対して、図２（ハ）に示すように、リールＳが大型でリール脚Ｓａが大きい場合は、可動フード１Ｄを螺進させて押え接触体４でリール脚Ｓａを押え付け、更に、可動フード１Ｄを螺進させると、押え接触体４がＯリング５を圧縮しながら可動フード１Ｄに対して後退することとなり、凹入空間Ａ内に退入する。
【００１７】
図２（ロ）（ハ）に示すように、リール脚Ｓａが大きくなる程、押え接触体４が可動フード１Ｄの凹入空間Ａ内に退入することによって、押え接触体４が可動フード１Ｄに対して移動しない場合に比べて、可動フード１ＤのリールＳに向かう先端１ｅを、シートベース１Ａの大径部の側端１ｆに対して、十分近接させることができる。
リール脚Ｓａが大きくなる程、押え接触体４が可動フード１Ｄの凹入空間Ａ内に退入することによって、リール脚Ｓａの大きさに拘わらず、可動フードの先端１ｅとシートベース１Ａの先端１ｆとの間隔を十分狭くかつ変化の少ないものにでき、リール脚Ｓａとともにシートベース１Ａに手指を掛けて釣り竿を握る釣り人の手に、その間隔が違和感を与えないものとなる。
【００１８】
〔第２実施形態〕
図４に示すように、付勢手段ＢとしてＯリング５の代わりに皿バネ６を利用したものでもよい。つまり、皿バネ６をリング状に構成し、この皿バネ６を可動フード１Ｄの凹入空間Ａ内で奥壁と押え接触体４との間に位置させて、押え接触体４を凹入空間Ａより突出する方向に付勢する。
このように、押え接触体４をリング状に構成し、かつ、皿バネ６をリング状に構成する構成によって、円周方向全周に亘って均等に付勢力を作用させることができ、押え接触体４、及び、可動フード１Ｄを竿軸線に対して偏りなく移動させることができる。
【００１９】
〔第３実施形態〕
ここでは、テーパ押え面４Ａを内周面の全周に亘って設ける構成について説明する。図５に示すように、押え接触体４としてリング状の形状は維持するが、リール脚Ｓａを押えるテーパ押え面４Ａを押え接触体４の内周面の全周に亘って設けることとする。第１、第２実施形態では、押え接触体４はシートベース１Ａに係合する状態を維持しながら竿軸芯方向に移動する形態を採っていたが、この実施形態では、可動フード１Ｄの螺進移動とともに、竿軸芯方向に沿って移動する構成を採る。
【００２０】
図４に示すように、押え接触体４を付勢する付勢手段Ｂとして、凹入空間Ａの奥壁と押え接触体４との間に位置し、シートベース１Ａの小径部に外嵌されるコイルスプリング７で構成する。
このような構成によって、可動フード１Ｄが螺進移動することによって、コイルスプリング７に押されて押え接触体４も移動し、リール脚Ｓａを押え保持する。この状態から更に、可動フード１Ｄが移動すると、コイルスプリング７を押え接触体４が圧縮して、押え接触体４が凹入空間Ａ内に引退する。このことによって、可動フード１Ｄの先端１ｅがシートベース１Ａの先端１ｆに十分近接するものとできる。
【００２１】
〔別実施形態〕
（１）押え接触体４としては、円環状のものを採用したが、リール脚Ｓａに対応して、円周方向の一箇所に対応した幅の板状のものとして構成してもよい。この場合には、図示はしていないが、可動フード１Ｄの対応箇所に、押え接触体４を竿の軸線方向に沿って相対移動させ、押え接触体４の幅を納めるだけのガイド溝を設ける。
これによって、押え接触体４は可動フード１Ｄのガイド溝に保持されて、円周方向には相対回転はせず、竿の軸線方向に沿って可動フード１Ｄに対して相対移動するだけである。
（２）可動フード１Ｄとしては、可動フード自体が螺進移動する構成のものとしたが、可動フードをスライド移動するだけのものとし、シートベース１Ａに螺合して移動するナット部材を別個に設けてもよい。
（３）固定フード１Ｃのリール脚保持部にそのリール脚Ｓａを可動フード１Ｄがわに向けて付勢するゴム体や小型のコイルスプリングを装着してもよい。
【図面の簡単な説明】
【００２２】
【図１】ルアー竿の元竿部分を示す側面図
【図２】（イ）押え接触体をリール脚から離間させた状態を示す縦断側面図、（ロ）押え接触体で小型のリール脚を保持する状態を示す縦断側面図、（ハ）押え接触体で大型のリール脚を保持する状態を示す縦断側面図
【図３】（イ）押え接触体の斜視図、（ロ）押え接触体の縦断側面図
【図４】付勢手段として皿バネを利用したものを示す縦断側面図
【図５】付勢手段としてコイルスプリングを利用したものを示す縦断側面図
【符号の説明】
【００２３】
１Ａ          シートベース
１Ｃ          固定フード（相手側フード）
１Ｄ          可動フード
４            押え接触体
５            Ｏリング（付勢手段）
６            皿バネ（付勢手段）
７            コイルスプリング（付勢手段）
Ｂ            付勢手段
Ｓａ          リール脚
【図１】
2008104431.tif 000003
【図２】
2008104431.tif 000004
【図３】
2008104431.tif 000005
【図４】
2008104431.tif 000006
【図５】
2008104431.tif 000007